(57)【特許請求の範囲】
【請求項１】
下面に吸込口となる開口部を設け、側部に排気口を形成し、内部に送風機を設けた天井に設置される換気装置において、前記開口部に、同一方向に配列された複数の格子によって構成される化粧パネルと防塵用フィルターとを一体に形成したフィルターグリルを設け、前記化粧パネルは、格子方向と直交する方向に中央が高くなるような湾曲形状であるものであって、格子間の長手方向の両端部を、前記防塵用フィルターの表面から前記フィルターグリルと前記防塵用フィルターの境界が鈍角の傾斜状に形成したことを特徴とする換気装置用ルーバー。
【請求項２】
格子の両側面部を、防塵用フィルターの表面から傾斜状に形成したことを特徴とする請求項１記載の換気装置用ルーバー。
【請求項３】
フィルターグリルを、化粧パネルと防塵用フィルターとをインサート成形により一体に形成することを特徴とする請求項１記載の換気装置用ルーバー。
【請求項４】
開口部にベースを設け、フィルターグリルを、前記ベースに着脱自在に取り付けられることを特徴とする請求項１記載の換気装置用ルーバー。
【請求項５】
フィルターグリルに、ベースと着脱する着脱機構を設けたことを特徴とする請求項４記載の換気装置用ルーバー。
【請求項６】
着脱機構を、フィルターグリルの外縁部に設け、ベースと係合し正規の位置にフィルターグリルを保持するストッパーと、ストッパーを動かすレバーを設けたことを特徴とする請求項５記載の換気装置用ルーバー。
【請求項７】
レバーとストッパーの摺動方向が、互いに直交方向であることを特徴とする請求項６記載の換気装置用ルーバー。
【請求項８】
レバーの摺動範囲の両端に、凸形状のリブを設けたことを特徴とする請求項６記載の換気装置用ルーバー。
【請求項９】
ベースにフックを設け、前記フックに係合する引掛部をフィルターグリルに一体に設けることを特徴とする請求項４記載の換気装置用ルーバー。
【請求項１０】
フックと引掛部を、複数個設けたことを特徴とする請求項９記載の換気装置用ルーバー。
【請求項１１】
引掛部を、一側面に中心に対して左右非対称となるように形成したことを特徴とする請求項９または１０記載の換気装置用ルーバー。
【請求項１２】
予備引掛部を、フィルターグリルに一体に形成される引掛部と同一側面上に設け、正規の位置にフィルターグリルが保持されているときベースと接しないことを特徴とする請求項９記載の換気装置用ルーバー。
【請求項１３】
ベースに、化粧パネルに設けた格子と等間隔に重なるようにベースリブを設けたことを特徴とする請求項４記載の換気装置用ルーバー。
【請求項１４】
防塵用フィルターを、暗色系にしたことを特徴とする請求項１〜３のいずれかに記載の換気装置用ルーバー。
【発明の詳細な説明】
【技術分野】
【０００１】
本発明は、天井等に設置されて換気を行う換気装置に設けられるルーバーに関する。
【背景技術】
【０００２】
従来、この種の換気装置用ルーバーとしては、ばね係合部材を本体内部のケーシングに設けて、ルーバーに取り付けられているばねをばね係合部材に取り付け、換気装置本体の底面にルーバーを取り付ける換気装置用ルーバーが知られている（例えば、特許文献１参照）。
【０００３】
以下、その換気装置について図１０を参照にしながら説明する。
【０００４】
図１０に示すように、底面に吸込口１０１を有し、側面に通風口１０２を設け、上部にモーター１０３およびモーター保持板１０４  、内部に羽根１０５  、ケーシング１０６を収納した箱状の換気装置１０７と、通風口１０２に連通する換気装置１０７側の接続口１０８およびダクト１０９と連通するダクト１０９側の接続口１１０を一体に設け、天井１１１に設けた開口１１２を覆うように装着されるルーバー１１３と、このルーバー１１３を装着するために、ルーバー１１３の裏面に設けられた２股状で先端がほぼ環状の線ばね１１４  を２箇所有し、ばね係合部材１１５に係合させて取り付ける構成となっている。
【０００５】
ここで、ルーバー１１３の中央における開口の形状としては、埃等を捕らえるフィルターをルーバー１１３と一体に設ける場合には網目状の格子となっているのが一般的に知られている。
【特許文献１】特開２００７−２１２００１号公報
【発明の開示】
【発明が解決しようとする課題】
【０００６】
このような従来の換気装置用ルーバーでは、ルーバーの格子が網目状になっていたので、拭いて掃除する際、網目の中の汚れが拭き除きにくい、あるいは、拭き除くのに時間と手間がかかり、お掃除性が非常によくないという課題がある。
【０００７】
本発明は、このような従来の課題を解決するものであり、フィルターを含めルーバーの汚れを容易に取り除き、お掃除性を向上させることができる換気装置用ルーバーを提供することを目的とする。
【課題を解決するための手段】
【０００８】
本発明の換気装置用ルーバーは、上記目的を達成するために、下面に吸込口となる開口部を設け、側部に排気口を形成し、内部に送風機を設けた天井に設置される換気装置において、前記開口部に、同一方向に配列された複数の格子によって構成される化粧パネルと防塵用フィルターとを一体に形成したフィルターグリルを設け、前記化粧パネルは、格子方向と直交する方向に中央が高くなるような湾曲形状であるものである。
【０００９】
また、他の手段は、格子間の長手方向の両端部を、防塵用フィルターの表面から傾斜状に形成したものである。
【００１０】
また、他の手段は、格子の両側面部を、防塵用フィルターの表面から傾斜状に形成したものである。
【００１１】
また、他の手段は、フィルターグリルを、化粧パネルと防塵用フィルターとをインサート成形により一体に形成するものである。
【００１２】
また、他の手段は、開口部にベースを設け、フィルターグリルを、前記ベースに着脱自在に取り付けられるものである。
【００１３】
また、他の手段は、フィルターグリルに、ベースと着脱する着脱機構を設けたものである。
【００１４】
また、他の手段は、着脱機構を、フィルターグリルの外縁部に設け、ベースと係合し正規の位置にフィルターグリルを保持するストッパーと、ストッパーを動かすレバーを設けたものである。
【００１５】
また、他の手段は、レバーとストッパーの摺動方向が、互いに直交方向であるものである。
【００１６】
また、他の手段は、レバーの摺動範囲の両端に、凸形状のリブを設けたものである。
【００１７】
また、他の手段は、ベースにフックを設け、前記フックに係合する引掛部をフィルターグリルに一体に設けるものである。
【００１８】
また、他の手段は、フックと引掛部を、複数個設けたものである。
【００１９】
また、他の手段は、引掛部を、一側面に中心に対して左右非対称となるように形成したものである。
【００２０】
また、他の手段は、予備引掛部を、フィルターグリルに一体に形成される引掛部と同一側面上に設け、正規の位置にフィルターグリルが保持されているときベースと接しないものである。
【００２１】
また、他の手段は、ベースに、化粧パネルに設けた格子と等間隔に重なるようにベースリブを設けたものである。
【００２２】
また、他の手段は、防塵用フィルターを、暗色系にしたものである。
【発明の効果】
【００２３】
本発明によれば、下面に吸込口となる開口部を設け、側部に排気口を形成し、内部に送風機を設けた天井に設置される換気装置において、前記開口部に、同一方向に配列された複数の格子によって構成される化粧パネルと防塵用フィルターとを一体に形成したフィルターグリルを設け、前記化粧パネルは、格子方向と直交する方向に中央が高くなるような湾曲形状であることにより、格子が同一方向に配列されているので、同一方向に拭けば一度に化粧パネルおよび防塵用フィルターの表面に付着した汚れを取り除け、かつ、湾曲形状になっているので、フィルターグリルのねじれ剛性が増加し、フィルターグリルを開口部に取り付けたり取り外したいりする際、フィルターグリルが変形して開口部に取り付けられたり、あるいは、取り付けにくくなったりするのを防止でき、お掃除性を向上させることができるとともに、一体に形成した防塵用フィルターは湾曲形状の高いところに向かって引っ張られるように設けられるので防塵用フィルターにしわ、たるみが発生しにくくなり、見栄えが良くなるという効果のある換気装置用ルーバーを提供することができる。
【００２４】
また、格子間の長手方向の両端部を、防塵用フィルターの表面から傾斜状に形成したことにより、格子間の長手方向の両端部の汚れは、傾斜に沿ってスムーズに拭かれ取り除かれるので、お掃除性を向上させることができるという効果のある換気装置用ルーバーを提供することができる。
【００２５】
また、格子の両側面部を、防塵用フィルターの表面から傾斜状に形成したことにより、フィルターグリルに集められる室内の空気の汚れは傾斜部に沿ってスムーズに流れ防塵用フィルターに捕集されやすくなるとともに、フィルターグリルと防塵用フィルターの境界を鈍角に形成できるので、境界の汚れを拭きやすくでき、お掃除性を向上させることができるという効果のある換気装置用ルーバーを提供することができる。
【００２６】
また、フィルターグリルを、化粧パネルと防塵用フィルターとをインサート成形により一体に形成することにより、化粧パネルと防塵用フィルターとの隙間がなくなるので、隙間による汚れ除去漏れがなくなり、お掃除性を向上させることができるという効果のある換気装置用ルーバーを提供することができる。
【００２７】
また、開口部にベースを設け、フィルターグリルを、前記ベースに着脱自在に取り付けられることにより、フィルターグリルを、ベースから着脱できるので、フィルターグリルをベースから取り外して汚れを取り除き、完了後ベースに取り付けてセットできるので、お掃除性を向上させることができるという効果のある換気装置用ルーバーを提供することができる。
【００２８】
また、フィルターグリルに、ベースと着脱する着脱機構を設けたことにより、フィルターグリルを取り外す際、使用者は必ず外れる部品を持ちながらの作業となる為、落下の心配がなくなり安全にフィルターグリルを取り外すことができるとともに防塵用フィルターに捕集された室内の汚れが取外しの衝撃で飛散することもなくなるという効果のある換気装置用ルーバーを提供することができる。
【００２９】
また、着脱機構を、フィルターグリルの外縁部に設け、ベースと係合し正規の位置にフィルターグリルを保持するストッパーと、ストッパーを動かすレバーを設けたことにより、レバーを動かすことで、それに連動してストッパーも動き、容易にフィルターグリルとベースの着脱機能を働かせることができるので、お掃除性を向上させることができるという効果のある換気装置用ルーバーを提供することができる。
【００３０】
また、レバーとストッパーの摺動方向が、互いに直交方向であることにより、摺動方向を互いに直角方向にしているので、レバーの摺動させる範囲をコンパクトにすることができるという効果のある換気装置用ルーバーを提供することができる。
【００３１】
また、レバーの摺動範囲の両端に、凸形状のリブを設けたことにより、凸形状のリブによって、レバーの摺動範囲を規制できるので、摺動範囲を越えることによるレバーの破損を防止することができるとともに、開口部へのベースの設置が堅固でなくても、レバーの摺動範囲の両端に設けた凸形状のリブの片側とレバーとを摘むように操作できるので、レバーの操作方向に逃げようとするベースの動き規制しながらフィルターグリルを取り外すことができ、高所でも安全にフィルターグリルを取り外すことができるという効果のある換気装置用ルーバーを提供することができる。
【００３２】
また、ベースにフックを設け、前記フックに係合する引掛部をフィルターグリルに一体に設けることにより、着脱機構が破損した場合でも、ベースとフィルターグリルは係合されているので、フィルターグリルの落下を防止することができるという効果のある換気装置用ルーバーを提供することができる。
【００３３】
また、フックと引掛部を、複数個設けたことにより、着脱機構が破損した場合でも、ベースとフィルターグリルは複数箇所で係合されているので、フィルターグリルの落下をより防止することができるという効果のある換気装置用ルーバーを提供することができる。
【００３４】
また、引掛部を、一側面に中心に対して左右非対称となるように形成したことにより、いつも適正な位置で、フィルターグリルとベースを係合させることができるという効果のある換気装置用ルーバーを提供することができる。
【００３５】
また、予備引掛部を、フィルターグリルに一体に形成される引掛部と同一側面上に設け、正規の位置にフィルターグリルが保持されているときベースと接しないことにより、ベースとフィルターグリルの係合が外れた場合でも、予備引掛部がベース上に引っ掛かるので、フィルターグリルの落下を防止することができるとともに、予備引掛部は正規の位置と異なるところでベースと引っ掛かるので、使用者に開口部へのフィルターグリルの引っ掛けが正規の状態ではなく異常の状態であるということを容易に知らせることができるという効果のある換気装置用ルーバーを提供することができる。
【００３６】
また、ベースに、化粧パネルに設けた格子と等間隔に重なるようにベースリブを設けたことにより、ベースの強度低下を防ぐとともに、見栄えや通気抵抗の低減を図ることができるという効果のある換気装置用ルーバーを提供することができる。
【００３７】
また、防塵用フィルターを、暗色系にしたことにより、防塵フィルターに付着した汚れを際立たせることができるので、お掃除性を向上させることができるという効果のある換気装置用ルーバーを提供することができる。
【発明を実施するための最良の形態】
【００３８】
本発明の換気装置用ルーバーは、下面に吸込口となる開口部を設け、側部に排気口を形成し、内部に送風機を設けた天井に設置される換気装置において、前記開口部に、同一方向に配列された複数の格子によって構成される化粧パネルと防塵用フィルターとを一体に形成したフィルターグリルを設け、前記化粧パネルは、格子方向と直交する方向に中央が高くなるような湾曲形状であるとしたものであり、フィルターグリルの表面を、化粧パネルの格子に沿って拭くことにより、化粧パネルおよび防塵用フィルターの表面に付着した汚れを取り除くという作用を有する。
【００３９】
また、格子間の長手方向の両端部を、防塵用フィルターの表面から傾斜状に形成したものであり、格子間を拭くとき、格子間の長手方向の両端部の汚れは、傾斜に沿って拭かれ、取り除かれるという作用を有する。
【００４０】
また、格子の両側面部を、防塵用フィルターの表面から傾斜状に形成したものであり、フィルターグリルに集められる室内の空気の汚れは、格子の両側面部の傾斜に沿ってスムーズに流れ防塵用フィルターに捕集されるとともに、フィルターグリルと防塵用フィルターの境界が鈍角に形成しているので、境界の汚れを容易に取り除けるという作用を有する。
【００４１】
また、フィルターグリルを、化粧パネルと防塵用フィルターとをインサート成形により一体に形成するとしたものであり、防塵用フィルターに、化粧パネル形成の樹脂を覆って、フィルターグリルを形成するという作用を有する。
【００４２】
また、開口部にベースを設け、フィルターグリルを、前記ベースに着脱自在に取り付けられるとしたものであり、フィルターグリルを、ベースに取り付けたり、取り外したりするという作用を有する。
【００４３】
また、フィルターグリルに、ベースと着脱する着脱機構を設けたとしたものであり、着脱機構を設けたフィルターグリルを、ベースに取り付けたり、取り外したりするという作用を有する。
【００４４】
また、着脱機構を、フィルターグリルの外縁部に設け、ベースと係合し正規の位置にフィルターグリルを保持するストッパーと、ストッパーを動かすレバーを設けたとしたものであり、レバーを動かし、それに連動してストッパーも動かして、フィルターグリルとベースとを着脱させるという作用を有する。
【００４５】
また、レバーとストッパーの摺動方向が、互いに直交方向であるとしたものであり、レバーをある方向に摺動し、それに連動してストッパーがレバーの摺動方向に対し直角方向に摺動されて、フィルターグリルとベースとを着脱させるという作用を有する。
【００４６】
また、レバーの摺動範囲の両端に、凸形状のリブを設けたとしたものであり、レバーを、凸形状のリブ間内で摺動させて、フィルターグリルとベースをとを着脱させるという作用を有する。
【００４７】
また、ベースにフックを設け、前記フックに係合する引掛部をフィルターグリルに一体に設けるとしたものであり、ベースのフックに、フィルターグリルの引掛部を引っ掛けて、ベースとフィルターグリルを係合させるという作用を有する。
【００４８】
また、フックと引掛部を、複数個設けたとしたものであり、ベースの複数のフックに、フィルターグリルの複数の引掛部を引っ掛けて、ベースとフィルターグリルを係合させるという作用を有する。
【００４９】
また、引掛部を、一側面に中心に対して左右非対称となるように形成したものであり、左右非対称の引掛部をフックに引っ掛けて、フィルターグリルとベースを係合させるという作用を有する。
【００５０】
また、予備引掛部を、フィルターグリルに一体に形成される引掛部と同一側面上に設け、正規の位置にフィルターグリルが保持されているときベースと接しないとしたものであり、ベースのフックに、フィルターグリルの引掛部を引っ掛け、予備引掛部をベースに接触させず、ベースとフィルターグリルを係合させるという作用を有する。
【００５１】
また、ベースに、化粧パネルに設けた格子と等間隔に重なるようにベースリブを設けたとしたものであり、ベースに、フィルターグリルを係合すると、化粧パネルの格子とベースリブが重なって係合されるという作用を有する。
【００５２】
また、防塵用フィルターを、暗色系にしたものであり、防塵用フィルターの色を暗色系にするという作用を有する。
【００５３】
以下、本発明の実施の形態について、図面を参照しながら説明する。
【００５４】
（実施の形態１）
図１〜図３に示すように、下面１には吸込口２となる後述する化粧パネル１８と係合する開口部係合部２４を設けた開口部３を設け、側部４には排気口５を設け、上部にはモーター保持板６を設け  、内部にはモーター保持板６に固定させたモーター７と羽根８を有した送風機９およびケーシング１０とを設けた箱状の換気装置１１を天井１２に設置し、排気口５に連通する換気装置１１側の接続口１３およびダクト１４と連通するダクト側接続口１５を一体に設ける構成としている。
【００５５】
そして、同一方向に配列された複数の格子１６と開口部３に係合させる化粧パネル係合部１７を設けた化粧パネル１８と防塵用フィルター１９とを一体に形成したフィルターグリル２０を、開口部３の開口部係合部２４に化粧パネル係合部１７を係合させる。
【００５６】
また、化粧パネル１８は、格子方向２１と直交する方向に中央２２が高くなるような湾曲形状になる湾曲形状部２３で構成する。
【００５７】
そして、格子１６の形状は、格子１６間の長手方向２５の両端部２６は、防塵用フィルター１９の表面から化粧パネル１８の外周前面に向かって傾斜するような傾斜部２７で構成し、格子１６の両側面部２８は、防塵用フィルター１９の表面から前面に向かって傾斜するような傾斜部２９で構成する。
【００５８】
そして、フィルターグリル２０を、化粧パネル１８と防塵用フィルター１９とをインサート成形により一体に形成する構成とする。
【００５９】
上記構成により、室内３０を換気する場合、送風機９のモーター７を作動させて羽根８を回転させると、室内３０の空気３１は、フィルターグリル２０の化粧パネル１８の湾曲形状部２３の表面に衝突し沿って流れ、沿って流れる間に防塵用フィルター１９を通過して羽根８内に流れ、排気口５を通過してダクト１４を通って、室外３２へ排気されるようになっている。
【００６０】
このように本発明の実施の形態１の換気装置用ルーバーによれば、フィルターグリル２０の表面をお掃除する際は、化粧パネル１８の格子１６に沿って一方方向に拭くことにより、化粧パネル１８および防塵用フィルター１９の表面に付着した汚れを取り除くようになる。
【００６１】
つまり、格子１６が同一方向に配列されているので、同一方向に拭けば一度に化粧パネル１８および防塵用フィルター１９の表面に付着した汚れを取り除け、かつ、湾曲形状になっているので、フィルターグリル２０のねじれ剛性が増加し、フィルターグリル２０を開口部３に取り付けたり取り外したりする際、フィルターグリル２０が変形して開口部３に取り付けられたり、あるいは、取り付けにくくなったりするのを防止できるので、お掃除性を向上させることができるとともに、一体に形成した防塵用フィルター１９は湾曲形状の高いところに向かって引っ張られるように設けられるので防塵用フィルター１９にしわ、たるみが発生しにくくなり、見栄えが良くなるという効果が生じる。さらに防塵用フィルター１９にしわ、たるみが発生しなければ、軽い力で汚れを拭くだけで汚れを防塵用フィルター１９に残すことなく取り除くことが可能となる。
【００６２】
なお、湾曲形状になっていることで、汚れを中央の高いところに集中でき、そこの汚れを主に取り除けばいい作用効果も生じる場合もある。
【００６３】
また、格子１６間を拭くとき、格子１６間の長手方向２５の両端部２６の汚れは、傾斜部２７に沿って拭かれ、取り除かれるようになり、格子１６の両側面部２８の汚れは、傾斜部２９に沿って拭かれ、取り除かれるようになる。
【００６４】
よって、格子１６間の長手方向２５の両端部２６および格子１６の両側面部２８の汚れは、それぞれの傾斜である傾斜部２７、傾斜部２９に沿ってスムーズに拭かれ取り除かれるので、お掃除性を向上させることができることとなる。
【００６５】
そして、傾斜部２９の独特の作用効果としては、フィルターグリル２０の防塵用フィルター１９に集められる室内３０の空気３１の汚れは、傾斜部２９に沿ってスムーズに流れ防塵用フィルター１９に捕集されるとともに、フィルターグリル２０と防塵用フィルター１９の境界が鈍角に形成できるので、境界の汚れを容易に取り除けるという作用を有し、フィルターグリル２０の防塵用フィルター１９に集められる室内３０の空気３１の汚れが捕集されやすくなるため、結果、お掃除性を向上させることができるという効果が生じる。また、傾斜部２９は、送風機９によってフィルターグリル２０に集められる室内３０の空気３１がフィルターグリル２０を通過しようと格子１６に衝突する際の抵抗を低減させるという効果を生じ、送風性能、特に低騒音化に関して有益となる。
【００６６】
また、防塵用フィルター１９に、化粧パネル１８形成の樹脂を覆って、フィルターグリル２０を形成するようにする。
【００６７】
よって、化粧パネル１８と防塵用フィルター１９との隙間がなくなるので、隙間による汚れ除去漏れがなくなり、お掃除性を向上させることができることとなる。
【００６８】
（実施の形態２）
実施の形態２において、実施の形態１と異なるところは、フィルターグリル３５をベース３３に係合させる点である。実施の形態２において、実施の形態１と同じ構成要素については同じ符号を用いて、その説明を省略する。
【００６９】
図４〜図９に示すように、開口部３にベース３３を設け、ベース３３と着脱する着脱機構３４を設けたフィルターグリル３５を、ベース３３に着脱自在に取り付けられる構成とする。
【００７０】
また、着脱機構３４は、フィルターグリル３５の外縁部３６の格子１６内に設け、ベース３３と係合し正規の位置にフィルターグリル３５を保持するストッパー３７と、ストッパー３７を動かすレバー３８を設けた構成とする。
【００７１】
具体的には、ストッパー３７は、正面から見て上部から斜め下方に孔４７を有した板４８であり、レバー３８は、長方形の板部４９の一側面に手で摘む取手部５０を、その反対側面に、孔４７に通じる突起５２を設けたものである。
【００７２】
また、レバー３８とストッパー３７の摺動方向が、互いに直交方向である構成とし、レバー３８の摺動範囲３９の両端に、凸形状のリブ４０を設けた構成とする。
【００７３】
また、ベース３３に複数のフック４１を設け、フック４１に係合する複数の引掛部４２をフィルターグリル３５に一体に設ける。
【００７４】
また、引掛部４２は、フィルターグリル３５一側面の中心４３に対して左右非対称となるように形成している。
【００７５】
また、フィルターグリル３５の化粧パネル４４に設ける逆Ｌ字状の予備引掛部４５を、フィルターグリル３５に一体に形成される引掛部４２と同一側面上に設け、正規の位置にフィルターグリル３５が保持されているときベース３３の上面と接しない構成とする。
【００７６】
また、ベース３３に、化粧パネル４４に設けた格子１６と等間隔に重なるようにベース３３にベースリブ４６を設ける。
【００７７】
また、防塵用フィルター１９は、暗色系に構成する。
【００７８】
上記構成により、ベース３３にフィルターグリル３５を取り付ける方法を説明する。
【００７９】
開口部３に取り付けられたベース３３の内面に折り曲がった逆Ｌ字状のフック４１に、フィルターグリル３５の孔５１を有した引掛部４２を係合させる。
【００８０】
そして、フィルターグリル３５をベース３３に扉状に回動させるように押し付けて、フィルターグリル３５の裏側に設けた一側面側の端部に設けているストッパー保持リブ５４間に保持されているストッパー３７を、凸形状のリブ４０間内でレバー３８を横に摺動させることにより、レバー３８の突起５２が孔４７内を移動しストッパー３７が下方に移動し、ベース３３のストッパー挿入溝５３に挿入される。挿入された後は、ストッパー３７により、フィルターグリル３５側はストッパー保持リブ５４、ベース３３側は、ストッパー挿入溝５３により支えられるので、結果、フィルターグリル３５をベース３３に係合させることができるようになる。
【００８１】
このとき、予備引掛部４５は、逆Ｌ字状のフィルターグリル３５から略直角に伸びている立ち上がり部５５と水平に伸びている水平部５６からなり、ベース３３の上面に水平部５６がベース３３と接しないようになっている。
【００８２】
また、このとき、化粧パネル４４の格子１６とベースリブ４６が重なって係合され、防塵用フィルター１９は、外部から見た場合、暗色系に見える。
【００８３】
また、フィルターグリル３５をベース３３から取り外す場合は、逆の方法で、フィルターグリル３５の裏側に設けた一側面側の端部に設けているストッパー保持リブ５４間に保持されているストッパー３７を、凸形状のリブ４０間内でレバー３８を上記係合させる時とは逆の向きの横に摺動させることにより、レバー３８の突起５２が孔４７内を移動しストッパー３７が上方に移動し、ベース３３のストッパー挿入溝５３から外れる。外れた後は、開口部３に取り付けられたベース３３の内面に折り曲がった逆Ｌ字状のフック４１から、フィルターグリル３５の孔５１を有した引掛部４２を取り外すようにする。
【００８４】
なお、この実施の形態２の図では、フック４１と引掛部４２をそれぞれ２つずつ記載しているが、勿論、複数設けてもよい。
【００８５】
このように本発明の実施の形態２の換気装置用ルーバーによれば、フィルターグリル３５を、ベース３３から着脱できるので、フィルターグリル３５をベース３３から取り外して使用者が手元で汚れを取り除くことができ、完了後ベース３３に取り付けてフィルターグリル３５をベース３３セットできるので、お掃除性を向上させることができることとなる。
【００８６】
また、取り外しするフィルターグリル３５に着脱機構３４を設けたので、フィルターグリル３５を取り外す際、使用者は必ず外れる部品を持ちながらの作業となる為、落下の心配がなくなり安全にフィルターグリル３５を取り外すことができるとともに防塵用フィルターに捕集された室内の汚れが取外しの衝撃で飛散することもなくなるので、お掃除性を向上させることができることとなる。
【００８７】
また、レバー３８を動かす、すなわち、摺動することで、それに連動してストッパー３７も動き、容易にフィルターグリル３５とベース３３の着脱機能を働かせることができるので、お掃除性を向上させることができることとなる。
【００８８】
また、摺動方向を互いに直角方向にしているので、レバー３８の摺動させる範囲をコンパクトにすることができることとなる。
【００８９】
また、凸形状のリブ４０によって、レバー３８の摺動範囲３９を規制できるので、摺動範囲３９を越えることによるレバー３８の破損を防止できるとともに、開口部３へのベース３３の設置が堅固でなくても、凸形状のリブ４０の片側とレバー３８とを摘むように操作できるので、レバー３８の操作方向に逃げようとするベース３３の動き規制しながらフィルターグリル３５を取り外すことができ、高所でも安全にフィルターグリル３５を取り外すことができることとなる。
【００９０】
また、着脱機構３４が破損した場合でも、ベース３３とフィルターグリル３５はフック４１と引掛部４２とで係合されているので、フィルターグリル３５の落下を防止することができることとなる。
【００９１】
また、着脱機構３４が破損した場合でも、ベース３３とフィルターグリル３５は複数箇所で係合されているので、ベース３３からのフィルターグリル３５の落下をより防止することができることとなる。
【００９２】
また、左右非対称の引掛部４２をフック４１に引っ掛けて、フィルターグリル３５とベース３３を係合させないと適正に係合されないので、いつも適正な位置で、フィルターグリル３５とベース３３を係合させることができることとなる。
【００９３】
また、ベース３３とフィルターグリル３５の係合が外れた場合でも、予備引掛部４５がベース３３上に引っ掛かるので、フィルターグリル３５の落下を防止することができるとともに、予備引掛部４５は正規の位置と異なるところのベース３３と引っ掛かるので、使用者に開口部３へのフィルターグリル３５の引っ掛けが正規の位置ではなく異常の位置であるということを容易に知らせることができることとなる。
【００９４】
また、ベースリブ４６を設けることにより、ベース３３の強度低下を防ぐとともに、見栄えや通気抵抗の低減を図ることができることとなる。
【００９５】
また、防塵フィルター１９に付着した汚れを際立たせることができるので、汚れの発見およびきれいに取り除けたか確認できるので、お掃除性を向上させることができることとなる。
【産業上の利用可能性】
【００９６】
本発明にかかる換気装置のルーバーの構造は、天井等に本体を設置して吸込口にお掃除性を向上できるルーバーを取り付けることによって、空調機、送風機等に設けられているルーバーの構造にも適用できる。
【図面の簡単な説明】
【００９７】
【図１】本発明の実施の形態１の換気装置用ルーバーを換気装置に設置した状態を示す側構成図
【図２】同換気装置用ルーバーのフィルターグリルを示す斜視図
【図３】同換気装置用ルーバーの格子を示す拡大正面図
【図４】本発明の実施の形態２の換気装置用ルーバーを換気装置に設置した状態を示す側構成図
【図５】同換気装置用ルーバーのベースとフィルターグリルを取り付ける状態を示す斜視図
【図６】同換気装置用ルーバーのフィルターグリルの形状を示す断面図
【図７】同換気装置用ルーバーのレバーを示す斜視図
【図８】同換気装置用ルーバーのフィルターグリルの裏面を示す正面図
【図９】同換気装置用ルーバーのレバーとストッパーの動作を示す図
【図１０】従来の換気装置用ルーバーを換気装置に設置した状態を示す側構成図
【符号の説明】
【００９８】
１    下面
２    吸込口
３    開口部
４    側部
５    排気口
９    送風機
１１  換気装置
１２  天井
１６  格子
１８  化粧パネル
１９  防塵用フィルター
２０  フィルターグリル
２１  格子方向
２２  中央
２３  湾曲形状部
２５  長手方向
２６  両端部
２７  傾斜部
２８  両側面部
２９  傾斜部
３３  ベース
３４  着脱機構
３５  フィルターグリル
３６  外縁部
３７  ストッパー
３８  レバー
３９  摺動範囲
４０  リブ
４１  フック
４２  引掛部
４３  中心
４４  化粧パネル
４５  予備引掛部
４６  ベースリブ
【図１】
0005194848.tif 000002
【図２】
0005194848.tif 000003
【図３】
0005194848.tif 000004
【図４】
0005194848.tif 000005
【図５】
0005194848.tif 000006
【図６】
0005194848.tif 000007
【図７】
0005194848.tif 000008
【図８】
0005194848.tif 000009
【図９】
0005194848.tif 000010
【図１０】
0005194848.tif 000011